(57)【要約】【課題】複数の通信装置と通信を行う際に、キャリア幅を変更して通信を行うことができる通信装置を得ること。【解決手段】Ｎ／２ポイントＩＦＦＴ演算部は基準キャリア幅の周波数領域のデータを逆フーリエ変換により時間領域のデータに変換し、ＮポイントＩＦＦＴ演算部は基準キャリア幅の１／２の周波数領域のデータを逆フーリエ変換により時間領域のデータに変換し、加算器がそれらのデータの時間軸をあわせて加算する。Ｎ／２ポイントＦＦＴ演算部は時間領域のデータをフーリエ変換により基準キャリア幅の周波数領域のデータに変換し、ＮポイントＦＦＴ演算部は時間領域のデータをフーリエ変換により基準キャリア幅の１／２の周波数領域のデータに変換し、判定部は制御用キャリア内の識別情報に基づいてＮ／２ポイントＦＦＴ演算部、または、ＮポイントＦＦＴ演算部で変換した周波数領域のデータを選択する。【選択図】      図３
2004336205.tif 000002
【特許請求の範囲】
【請求項１】
通信可能な周波数帯域を複数の通信帯域に分割し、当該通信帯域をさらに複数の周波数帯域に分割したキャリアを用いるマルチキャリア方式に適用され、伝送路に接続される複数のスレーブ通信装置と前記通信帯域を割り当てて相互通信を行う通信装置において、
前記キャリアのキャリア幅の周波数領域の送信データを逆フーリエ変換により時間領域の送信データに変換する第１の逆フーリエ変換部と、
前記キャリアとは異なる第２のキャリアのキャリア幅の周波数領域の送信データを逆フーリエ変換により時間領域の送信データに変換する第２の逆フーリエ変換部と、
前記第１の逆フーリエ変換部で変換された時間領域の送信データと前記第２の逆フーリエ変換部で変換された時間領域の送信データとを加算する加算器と、
を備える送信部と、
前記スレーブ通信装置から受信した時間領域の受信データをフーリエ変換により前記キャリアのキャリア幅の周波数領域の受信データに変換する第１のフーリエ変換部と、
前記スレーブ通信装置から受信した時間領域の受信データをフーリエ変換により前記第２のキャリアのキャリア幅の周波数領域の受信データに変換する第２のフーリエ変換部と、
前記スレーブ通信装置が前記キャリアと前記第２のキャリアのどちらを用いて時間領域の送信をしたかを判断して、その判断結果に基づいて前記第１のフーリエ変換部で変換された周波数領域の受信データ、または、前記第２のフーリエ変換部で変換された周波数領域の受信データを選択する判定部と、
を備えることを特徴とする通信装置。
【請求項２】
前記判定部は、
前記通信帯域毎に定められた制御用キャリアに含まれる送信時に使用したキャリアを識別するための識別情報に基づいて前記第１のフーリエ変換部で変換された周波数領域の受信データ、または、前記第２のフーリエ変換部で変換された周波数領域の受信データを選択することを特徴とする請求項１に記載の通信装置。
【請求項３】
前記スレーブ通信装置から通信開始の要求があった場合に、該スレーブ通信装置が通信可能な通信帯域を示す帯域情報と、前記キャリアと前記第２のキャリアのどちらに対応しているかを示すキャリア情報に基づいて前記通信開始の要求があったスレーブ通信装置と通信を行う通信帯域およびキャリアを決定する制御部、
をさらに備えたことを特徴とする請求項１または２に記載の通信装置。
【請求項４】
前記制御部は、
前記通信帯域毎の使用状態および使用キャリアを記憶する記憶部と、
前記使用状態と前記帯域情報に基づいて前記スレーブ通信装置と通信を行う通信帯域を決定する通信帯域決定部と、
前記キャリア情報が前記キャリアと前記第２のキャリアの両方に対応していることを示している場合、前記キャリアを用いて通信を行った時の通信品質と、前記第２のキャリアを用いて通信を行った時の通信品質とを推定する通信品質推定部と、
前記推定の結果、通信品質が良かったほうのキャリアを通信に用いるキャリアに決定するキャリア決定部と、
を備えることを特徴とする請求項３に記載の通信装置。
【請求項５】
前記通信帯域決定部は、
前記帯域情報が複数の通信帯域に対応していることを示している場合、前記記憶部に記憶されている通信帯域毎の使用状態を用いてすでに使用されている通信帯域と隣接しない通信帯域を前記帯域情報の複数の通信帯域から検索して、すでに使用されている通信帯域と隣接しない通信帯域がある場合には、該隣接しない通信帯域を前記通信の要求のあったスレーブ通信装置との通信帯域に決定することを特徴とする請求項４に記載の通信装置。
【発明の詳細な説明】
【０００１】
【発明の属する技術分野】
本発明は、マルチキャリア通信により複数の通信装置が通信を行う際に、キャリア幅を変更して通信を行う通信装置に関するものである。
【０００２】
【従来の技術】
初期の電力線通信は、たとえば、部屋に設置されたコントロールパネルを操作してドアの施錠を解除する、各部屋の電灯をオン／オフするなどの遠隔制御に用いられていた。しかし、電力線通信は、ユーザ宅内の宅内配線である電灯線を伝送路として用いるため、電灯線に接続されている家電製品の種類や動作状態などの影響を受けてしまうという問題があった。すなわち、電灯線に接続されている家電製品の動作状態により、電力線通信装置への入力電圧が低下して電力線通信装置の出力信号が小さくなってしまい通信ができなくなってしまうという問題があった。
【０００３】
このような問題を改善するために、従来技術では、電力線通信装置に入力される電源電圧を測定し、測定結果に基づいてスイッチング素子のオン時間を決定して電力線通信装置の出力信号を一定にするようにしている（たとえば、特許文献１参照）。
【０００４】
【特許文献１】
特開平０５−７５５０４号公報
【０００５】
【発明が解決しようとする課題】
近年ではインターネットの普及に伴い、家庭やビル内の構内ＬＡＮ（Ｌｏｃａｌ  Ａｒｉａ  Ｎｅｔｗｏｒｋ）を電灯線で構築することがある。このような場合、家電製品や電灯の遠隔操作とは異なり、より高速で安定した電力線通信が求められる。そのため、従来技術では、マルチキャリア方式等が使用されている。
【０００６】
しかしながら、マルチキャリア方式を用いて通信を行う場合には、電灯線に接続されているすべての通信装置のキャリア幅が統一されていなければならないという問題があった。すなわち、同じ周波数帯域を利用するマルチキャリア方式の通信装置間であっても、キャリア幅が同じでなければ通信することができないという問題があった。
【０００７】
一般にキャリア幅が小さくなると、通信機器に要求される演算処理能力は大きくなり、高い精度の信号処理が必要となる。しかし、たとえば、ＬＡＮに接続される通信機器が持つ演算処理能力には差が有り、通信機器毎に必要通信速度も異なる。したがって、キャリア幅の統一は、ローエンドの通信機器に過剰な通信能力を与え、通信機器およびシステムのコストアップに繋がるという問題もあった。
【０００８】
本発明は、上記事情に鑑みてなされたものであって、複数の通信装置と通信を行う際に、キャリア幅を変更して通信機器の処理負荷に応じた通信を行うことができる通信装置を得ることを目的としている。
【０００９】
【課題を解決するための手段】
上記の目的を達成するために、本発明は以下の構成を採用した。
【００１０】
本発明の通信装置は、通信可能な周波数帯域を複数の通信帯域に分割し、当該通信帯域をさらに複数の周波数帯域に分割したキャリアを用いるマルチキャリア方式に適用され、伝送路に接続される複数のスレーブ通信装置と前記通信帯域を割り当てて相互通信を行う通信装置において、前記キャリアのキャリア幅の周波数領域の送信データを逆フーリエ変換により時間領域の送信データに変換する第１の逆フーリエ変換部と、前記キャリアとは異なる第２のキャリアのキャリア幅の周波数領域の送信データを逆フーリエ変換により時間領域の送信データに変換する第２の逆フーリエ変換部と、前記第１の逆フーリエ変換部で変換された時間領域の送信データと前記第２の逆フーリエ変換部で変換された時間領域の送信データとを加算する加算器とを備える送信部と、前記スレーブ通信装置から受信した時間領域の受信データをフーリエ変換により前記キャリアのキャリア幅の周波数領域の受信データに変換する第１のフーリエ変換部と、前記スレーブ通信装置から受信した時間領域の受信データをフーリエ変換により前記第２のキャリアのキャリア幅の周波数領域の受信データに変換する第２のフーリエ変換部と、前記スレーブ通信装置が前記キャリアと前記第２のキャリアのどちらを用いて時間領域の送信をしたかを判断して、その判断結果に基づいて前記第１のフーリエ変換部で変換された周波数領域の受信データ、または、前記第２のフーリエ変換部で変換された周波数領域の受信データを選択する判定部とを備えることを特徴とする。
【００１１】
係る通信装置によれば、送信部は、２つの異なるキャリア幅の周波数領域の送信データをそれぞれ逆フーリエ変換により時間帯域の送信データに変換して加算し、受信部は、受信した時間領域の受信データをフーリエ変換により２つの異なるキャリア幅の周波数領域の受信データに変換して、受信した時間領域の受信データが、どちらのキャリアを用いて時間領域のデータに変換されたものかを判断するようにしているため、通信可能な周波数帯域を分割して複数の通信装置と異なるキャリアを用いて通信することができる。
【００１２】
また本発明の通信装置は、前記判定部は、前記通信帯域毎に定められた制御用キャリアに含まれる送信時に使用したキャリアを識別するための識別情報に基づいて前記第１のフーリエ変換部で変換された周波数領域の受信データ、または、前記第２のフーリエ変換部で変換された周波数領域の受信データを選択することを特徴とする。
【００１３】
係る通信装置によれば、判定部は、通信帯域毎に定められた制御用キャリアに含まれる送信時に使用したキャリアを識別するための識別情報に基づいて第１のフーリエ変換部で変換された周波数領域の受信データ、または、第２のフーリエ変換部で変換された周波数領域の受信データを選択するようにしているため、通信帯域毎に異なるキャリアを用いて通信を行った場合でも、通信帯域毎に正しくデータを受信することができる。
【００１４】
また本発明の通信装置は、前記スレーブ通信装置から通信開始の要求があった場合に、該スレーブ通信装置が通信可能な通信帯域を示す帯域情報と、前記キャリアと前記第２のキャリアのどちらに対応しているかを示すキャリア情報に基づいて前記通信開始の要求があったスレーブ通信装置と通信を行う通信帯域およびキャリアを決定する制御部をさらに備えたことを特徴とする。
【００１５】
係る通信装置によれば、制御部は、スレーブ通信装置から通信開始の要求があった場合に、スレーブ通信装置が通信可能な通信帯域を示す帯域情報と、キャリアと第２のキャリアのどちらに対応しているかを示すキャリア情報に基づいて通信開始の要求があったスレーブ通信装置と通信を行う通信帯域およびキャリアを決定するようにしているため、通信装置の通信帯域およびキャリアに対応して通信を行うことができる。
【００１６】
また本発明の通信装置は、前記制御部は、前記通信帯域毎の使用状態および使用キャリアを記憶する記憶部と、前記使用状態と前記帯域情報に基づいて前記スレーブ通信装置と通信を行う通信帯域を決定する通信帯域決定部と、前記キャリア情報が前記キャリアと前記第２のキャリアの両方に対応していることを示している場合、前記キャリアを用いて通信を行った時の通信品質と、前記第２のキャリアを用いて通信を行った時の通信品質とを推定する通信品質推定部と、前記推定の結果、通信品質が良かったほうのキャリアを通信に用いるキャリアに決定するキャリア決定部とを備えることを特徴とする。
【００１７】
係る通信装置によれば、記憶部に記憶されている通信帯域ごとの使用帯域と帯域情報に基づいてスレーブ通信装置と通信を行う通信帯域を決定し、スレーブ通信装置が異なるキャリアで通信が可能である場合には、それぞれのキャリアを用いて通信品質を推定して、通信品質が良かった用のキャリアを用いて通信を行うようにしているため、安定した通信を行うことができる。
【００１８】
また本発明の通信装置は、前記通信帯域決定部は、前記帯域情報が複数の通信帯域に対応していることを示している場合、前記記憶部に記憶されている通信帯域毎の使用状態を用いてすでに使用されている通信帯域と隣接しない通信帯域を前記帯域情報の複数の通信帯域から検索して、すでに使用されている通信帯域と隣接しない通信帯域がある場合には、該隣接しない通信帯域を前記通信の要求のあったスレーブ通信装置との通信帯域に決定することを特徴とする。
【００１９】
係る通信装置によれば、通信帯域決定部は、スレーブ通信装置が対応している複数の通信帯域の中に、すでに使用されている通信帯域と隣接しない通信帯域がある場合には、隣接しない通信帯域を通信の要求のあったスレーブ通信装置との通信帯域に決定するようにしているため、干渉を防止して安定した通信を行うことができる。
【００２０】
【発明の実施の形態】
以下に添付図面を参照して、この発明にかかる通信装置の好適な実施の形態を詳細に説明する。
【００２１】
図１は、この発明にかかる通信装置を用いた通信システムの構成を示す概念図である。この発明にかかる通信装置を用いた通信システムは、複数の通信装置１０〜３０（この場合は３台）が電灯線５０を介して接続されている。通信装置１０はマスタ機能を有する通信装置であり、通信装置２０，３０はスレーブ通信装置である。通信装置１０，２０は、同じ周波数帯域内で通信可能であり、キャリア幅を選択できる通信装置である。通信装置３０は、通信装置１０，２０の通信可能な周波数帯域の一部の周波数帯域で通信可能であり、キャリア幅が固定の通信装置である。
【００２２】
図２は、通信装置１０，２０が通信可能な周波数帯域を示す図である。通信装置１０が通信可能な周波数帯域は、複数の通信帯域１〜ｍ（１＜ｍ，ｍは自然数）に分割されている。通信帯域１〜ｍのそれぞれの間には、干渉を防ぐために未使用領域を設定する。
【００２３】
通信帯域１〜ｍには、それぞれ、制御用キャリア１−０，２−０，…，ｍ−０が設けられている。制御用キャリアは、通信開始の要求と、使用しているキャリアが基準キャリア幅のキャリアであるのか、基準キャリア幅の１／２のキャリア幅のキャリアであるのかを識別する識別情報を通知するために用いる。そのため、制御用キャリア１−０とキャリア１−１、制御用キャリア２−０とキャリア２−１、…、制御用キャリアｍ−０とキャリアｍ−１の間も、それぞれ、干渉を防ぐために未使用領域を設定する。
【００２４】
通信を行う際に、通信装置１０，２０は、２つのキャリア幅のどちらか一方を用いて通信する。すなわち、通信帯域１を用いる場合、基準キャリアのキャリアキャリア１−１，キャリア１−２，…，キャリア１−ｎまたは基準キャリアのキャリア幅の１／２のキャリア幅のキャリア１−１０，キャリア１−１１，…，キャリア１−ｎ０，キャリア１−ｎ１を用いて通信する。
【００２５】
通信装置３０は、点線で示した通信帯域ｍで制御用キャリアを除き基準キャリア幅の１／２のキャリア幅でのみ通信可能な通信装置である。したがって、通信装置３０は、制御用キャリアｍ−０と、キャリアｍ−１０，キャリアｍ−１１，…，キャリアｍ−ｎ２を用いて通信する。
【００２６】
図３は、図１に示した通信装置１０の送受信機能の構成を示すブロック図である。通信装置１０は、データ処理部１１０と、符号化部１２０と、逆フーリエ変換部（以下ＩＦＦＴ部とする）１３０と、パラレル・シリアル変換処理部（以下Ｐ／Ｓ処理部とする）１４０と、デジタル・アナログ変換部（以下Ｄ／Ａ変換部とする）１５０と、結合部１６０と、アナログ・デジタル変換部（以下Ａ／Ｄ変換部とする）２１０と、シリアル・パラレル変換処理部（以下Ｓ／Ｐ処理部とする）２２０と、フーリエ変換部（以下ＩＦＦ部とする）２３０と、復号化部２４０と、制御部２５０とを備えている。
【００２７】
データ処理部１１０は、送信データに送信元アドレス、送信先アドレス、ノイズ測定用の特定パターンなどの制御情報を付加してフレーミング処理を行う。そして、通信装置毎に対応したキャリアに配置する。また、復号化データを通信装置毎に分離して、送信元アドレス、送信先アドレス、ノイズ測定用の特定パターンなどの制御情報を破棄する。
【００２８】
符号化部１２０は、ターボ符号やトレリス符号などの予め定められた誤り訂正符号化方式および符号化率に基づいて制御信号が付加された送信データを符号化する。そして、ＱＡＭなど予め定められた変調方式に基づいて、符号化された送信データを変調する。なお、処理の簡素化を図るために、符号化を行わずに送信データを変調するだけにしてもよい。
【００２９】
ＩＦＦＴ部１３０は、通信装置に対応するキャリアを用いて変調された送信データに対して逆フーリエ変換を行い、変調された周波数領域の送信データから時間領域の送信データに変換する。
【００３０】
図４は、図３に示したＩＦＦＴ部１３０の構成を示すブロック図である。ＩＦＦＴ部１３０は、分周器１３１と、ＮポイントＩＦＦＴ演算部１３２と、Ｎ／２ポイントＩＦＦＴ演算部１３３とを備えている。
【００３１】
分周器１３１は、クロックＣＫを２分周する。すなわち、クロックＣＫの周期の２倍の周期のクロックＣＫ２を生成する。
【００３２】
ＮポイントＩＦＦＴ演算部１３２は、たとえば、クロックＣＫ２で動作するＤＳＰ（Ｄｉｇｉｔａｌ  Ｓｉｇｎａｌ  Ｐｒｏｃｅｓｓｏｒ）または専用回路で構成される。ＮポイントＩＦＦＴ演算部１３２は、制御部２５０からの選択信号がＮポイントＩＦＦＴ演算部１３２を選択する信号であった場合、すなわち、基準キャリア幅の１／２のキャリア幅のキャリアを用いた場合に、通信装置に対応するキャリアを用いて変調された送信データに対して逆フーリエ変換を行い、変調された周波数領域の送信データから時間領域の送信データに変換する。
【００３３】
Ｎ／２ポイントＩＦＦＴ演算部１３３は、たとえば、クロックＣＫで動作するＤＳＰ（Ｄｉｇｉｔａｌ  Ｓｉｇｎａｌ  Ｐｒｏｃｅｓｓｏｒ）または専用回路で構成される。Ｎ／２ポイントＩＦＦＴ演算部１３２は、制御部２５０からの選択信号がＮ／２ポイントＩＦＦＴ演算部１３２を選択する信号であった場合、基準キャリア幅のキャリアを用いた場合に、通信装置に対応するキャリアを用いて変調された送信データに対して逆フーリエ変換を行い、変調された周波数領域の送信データから時間領域の送信データに変換する。
【００３４】
Ｐ／Ｓ処理部１４０は、ＮポイントＩＦＦＴ演算部１３２およびＮ／２ポイントＩＦＦＴ演算部１３３が時間領域に変換したパラレル送信データを、それぞれシリアル送信データに変換し、時間領域に変換された２つのパラレル送信データを時間軸を合わせて加算する。
【００３５】
図５は、図３に示したＰ／Ｓ処理部１４０の構成を示すブロック図である。Ｐ／Ｓ処理部１４０は、Ｐ／Ｓ部１４１，１４２と、レジスタＡ１４３と、レジスタＢ１４３と、加算器１４５とを備えている。
【００３６】
Ｐ／Ｓ部１４１は、ＮポイントＩＦＦＴ演算部１３２が時間領域に変換したパラレル送信データをシリアル送信データに変換する。Ｐ／Ｓ部１４２は、Ｎ／２ポイントＩＦＦＴ演算部１３２が時間領域に変換したパラレル送信データをシリアル送信データに変換する。
【００３７】
レジスタＡ１４３は、Ｐ／Ｓ部１４１が変換したシリアル送信データを蓄積する。レジスタＢ１４４は、２段のシフトレジスタであり、Ｐ／Ｓ部１４２が変換したシリアル送信データを蓄積する。加算機１４５は、レジスタＡ１４３とレジスタＢ１４４のデータを加算する。すなわち、クロックＣＫの２倍の周期であるクロックＣＫ２毎に時間領域に変換されたデータに対して、クロックＣＫ毎に時間領域に変換されたデータを２つ分とを加算することで時間軸をあわせている。
【００３８】
Ｄ／Ａ部１５０は、デジタルのシリアル送信データをアナログ送信データに変換する。結合部１７０はアナログ送信データを増幅して送信するとともに、受信した信号をフィルタリングして高周波信号の処理を行う。
【００３９】
Ａ／Ｄ部２１０は、結合部１６０からのアナログ受信データをデジタル受信データに変換する。
【００４０】
Ｓ／Ｐ処理部２２０は、シリアルのデジタル受信データを基準キャリア幅のキャリアを用いた場合と基準キャリア幅の１／２のキャリア幅を用いた場合とに対応する２種類のパラレル受信データに変換する。
【００４１】
図６は、Ｓ／Ｐ処理部２２０の構成を示すブロック図である。Ｓ／Ｐ処理部２２０は、２つのシリアル・パラレル変換部（以下Ｓ／Ｐ部とする）２２１，２２２を備えている。
【００４２】
Ｓ／Ｐ部２２１は、シリアルのデジタル受信データを基準キャリア幅の１／２のキャリア幅のキャリアを用いた場合に対応したパラレル受信データに変換する。すなわち、分周器１３１で分周されたクロックＣＫ２で処理可能なパラレル受信データに変換する。
【００４３】
Ｓ／Ｐ部２２２は、シリアルのデジタル受信データを基準キャリア幅のキャリアを用いた場合に対応したパラレル受信データに変換する。すなわち、クロックＣＫで処理可能なパラレル受信データに変換する。
【００４４】
ＦＦＴ部２３０は、基準キャリア幅のキャリアに対するパラレル受信データおよび基準キャリア幅の１／２のキャリア幅のキャリアに対するパラレル受信データに対してそれぞれフーリエ変換を行い、時間領域のパラレル受信データから周波数領域の受信データに変換する。そして、制御用キャリアの識別情報に基づいて、基準キャリア幅のキャリアを用いたのか、基準キャリア幅の１／２のキャリア幅のキャリアを用いたのかを判断する。
【００４５】
図７は、図３に示したＦＦＴ部２３０の構成を示すブロック図である。ＦＦＴ部２３０は、ＮポイントＦＦＴ演算部２３１と、Ｎ／２ポイントＦＦＴ演算部２３２と、判定部２３３とを備えている。
【００４６】
ＮポイントＦＦＴ演算部２３１は、たとえば、クロックＣＫで動作するＤＳＰ（Ｄｉｇｉｔａｌ  Ｓｉｇｎａｌ  Ｐｒｏｃｅｓｓｏｒ）または専用回路で構成される。ＮポイントＩＦＦＴ演算部１３２は、基準キャリア幅の１／２のキャリア幅のキャリアに対応したパラレル受信データに対してフーリエ変換を行い、時間領域のパラレル受信データから周波数領域の受信データに変換する。
【００４７】
Ｎ／２ポイントＦＦＴ演算部２３２は、たとえば、クロックＣＫで動作するＤＳＰ（Ｄｉｇｉｔａｌ  Ｓｉｇｎａｌ  Ｐｒｏｃｅｓｓｏｒ）または専用回路で構成される。ＮポイントＩＦＦＴ演算部１３２は、基準キャリア幅のキャリアに対応したパラレル受信データに対してフーリエ変換を行い、時間領域のパラレル受信データから周波数領域の受信データに変換する。
【００４８】
判定部２３３は、制御用キャリアの識別情報に基づいて基準キャリア幅のキャリアを用いたのか、基準キャリア幅の１／２のキャリア幅のキャリアを用いたのかを判断する。具体的には、識別情報が基準キャリア幅のキャリアを用いたことを示す場合には、Ｎ／２ポイントＦＦＴ演算部２３２で変換された周波数領域の受信データを、識別情報が基準キャリア幅の１／２のキャリア幅のキャリアを用いたことを示す場合には、ＮポイントＦＦＴ演算部２３１で変換された周波数領域の受信データを復号化部２４０に出力する。
【００４９】
復号化部２４０は、ＱＡＭなど予め定められた復調方式に基づいて、周波数領域の受信データを復調する。そして、ターボ符号やトレリス符号などの予め定められた誤り訂正符号化方式に基づいて、復調された受信データを復号する。なお、符号化部１２０において符号化を行わない場合には、復号化部２４０は、復調のみを行う。
【００５０】
制御部２５０は、通信要求のあった通信装置から通知される帯域情報およびキャリア情報に基づいて通信帯域およびキャリアを決定する。
【００５１】
図８は、制御部２５０の構成を示すブロック図である。制御部２５０は、通信帯域決定部２５１と、記憶部２５２と、通信品質推定部２５３と、キャリア決定部２５４と、切替部２５５とを備えている。
【００５２】
記憶部２５２は、図９（ａ）に示すように、図２に示した通信帯域１〜ｎに対応して、使用状態および使用キャリアを記憶する。使用状態には、通信帯域を使用している通信装置を、使用キャリアには、使用しているキャリアが基準キャリア幅のキャリアであるのか、基準キャリア幅の１／２のキャリア幅のキャリアであるのかを記憶する。
【００５３】
通信帯域決定部２５１は、制御用キャリアを用いて通信装置から通知された帯域情報と記憶部２５２に記憶されている通信帯域の使用状態に基づいて通信帯域を決定する。具体的には、図２に示す通信帯域１〜ｍで通信可能な通信装置が通信帯域１の制御用キャリア１−０を用いて通信を要求してきたとする。通信帯域決定部２５１は記憶部２５２に記憶されている通信帯域１に隣接する通信帯域２が使用されているかを確認して、通信帯域２が未使用であれば、通信を要求した通信装置との通信に用いる通信帯域を通信帯域１に決定する。通信帯域２がすでに他の通信装置との通信に用いられている場合には、通信を要求した通信装置の通信可能な通信帯域１〜ｍの中で、すでに使用されている通信帯域と隣接しないような通信帯域を見つけて通信を要求した通信装置との通信帯域に決定する。そして、キャリア情報が、キャリアを変更可能である場合には、基準キャリア幅のキャリアを用いるのか、基準キャリア幅の１／２のキャリア幅を用いるのかを決定するための通信を行う。
【００５４】
通信品質推定部２５３は、通信帯域の通信品質を推定する。具体的には、ＮポイントＦＦＴ部２３１またはＮ／２ポイントＦＦＴ部２３２から入力される周波数領域の受信データ内のノイズ測定用の特定パターンから算出した受信電力帯雑音電力比や復号化部２４０で誤り訂正を行った際の誤り率を用いて通信品質を推定する。
【００５５】
キャリア決定部２５４は、基準キャリア幅のキャリアで通信を行った場合の通信品質と、基準キャリア幅の１／２のキャリア幅のキャリアで通信を行った場合の通信品質とを比較して、通信品質の良いキャリアを通信キャリアに決定する。
【００５６】
切替部２５５は、通信帯域決定部２５１からの通知、または、通信帯域に対応して記憶部２５２に記憶されている使用キャリアに基づいてＮポイントＩＦＦＴ部１３２とＮ／２ポイントＩＦＦＴ演算部１３３のどちらを使用するかを選択する選択信号を出力する。
【００５７】
図１０は、通信装置２０の構成を示すブロック図である。通信装置２０は、図３に示した通信装置１０の制御部２５０の変わりに制御部２６０を備えている。図３に示した通信装置１０と同じ機能を持つ構成部分には同一符号を付し、重複する説明は省略する。
【００５８】
制御部２６０は、マスタである通信装置から通知された通信に用いる通信帯域および使用キャリアに基づいて、ＮポイントＩＦＦＴ部１３２とＮ／２ポイントＩＦＦＴ１３３のどちらを使用するかを選択する選択信号を出力する。また、通信の要求と、通信可能な帯域を示す帯域情報とキャリア幅変更可能であるかを示すキャリア情報をマスタである通信装置に通知する。
【００５９】
図１１は、通信装置３０の構成を示すブロック図である。通信装置３０は、データ処理部３１０と、符号化部３２０と、逆フーリエ変換部（以下ＩＦＦＴ部とする３３０と、パラレル・シリアル変換部（以下Ｐ／Ｓ部とする）３４０と、デジタル・アナログ変換部（以下Ｄ／Ａ変換部とする）３５０と、結合部３６０と、アナログ・デジタル変換部（以下Ａ／Ｄ変換部とする）４１０と、シリアル・パラレル変換部（以下Ｓ／Ｐ部とする）４２０と、フーリエ変換部（以下ＩＦＦ部とする）４３０と、復号化部４４０と、制御部４５０とを備えている。
【００６０】
データ処理部３１０は、送信データに送信元アドレス、送信先アドレス、ノイズ測定用の特定パターンなどの制御情報を付加してフレーミング処理を行う。そして、対応したキャリアに配置する。また、復号化データを分離して、送信元アドレス、送信先アドレス、ノイズ測定用の特定パターンなどの制御情報を破棄する。
【００６１】
符号化部３２０は、ターボ符号やトレリス符号などの予め定められた誤り訂正符号化方式および符号化率に基づいて制御信号が付加された送信データを符号化する。そして、ＱＡＭなど予め定められた変調方式に基づいて、符号化された送信データを変調する。なお、処理の簡素化を図るために、符号化を行わずに送信データを変調するだけにしてもよい。
【００６２】
ＩＦＦＴ部３３０は、ＤＳＰまたは専用回路で構成され対応するキャリアを用いて変調された送信データに対して逆フーリエ変換を行い、変調された周波数領域の送信データから時間領域の送信データに変換する。
【００６３】
Ｐ／Ｓ部３４０は、時間領域に変換されたパラレル送信データをシリアル送信データに変換する。Ｄ／Ａ部３５０は、デジタルのシリアル送信データをアナログ送信データに変換する。結合部３６０はアナログ送信データを増幅して送信するとともに、受信した信号をフィルタリングして高周波信号の処理を行う。
【００６４】
Ａ／Ｄ部４１０は、結合部３６０からのアナログ受信データをデジタル受信データに変換する。Ｓ／Ｐ部４２０は、シリアルのデジタル受信データをパラレル受信データに変換する。
【００６５】
ＦＦＴ部４３０は、ＤＳＰまたは専用回路で構成され、パラレル受信データに対してフーリエ変換を行い、時間領域のパラレル受信データを周波数領域の受信データに変換する。
【００６６】
復号化部４４０は、ＱＡＭなど予め定められた復調方式に基づいて、周波数領域の受信データを復調する。そして、ターボ符号やトレリス符号などの予め定められた誤り訂正符号化方式に基づいて、復調された受信データを復号する。なお、符号化部３３０において符号化を行わない場合には、復号化部４４０は、復調のみを行う。
【００６７】
制御部４５０は、通信の要求と、通信可能な帯域を示す帯域情報とキャリア幅変更可能であるかを示すキャリア情報をマスタである通信装置に通知する。
【００６８】
つぎに、この発明における通信装置の動作を説明する。まず、通信装置１０の送信動作について説明する。データ処理部１１０は、送信データに送信元アドレス、送信先アドレス、ノイズ測定用の特定パターンなどの制御情報を付加してフレーミング処理を行う。そして、送信する通信装置に対応したキャリアに配置する。
【００６９】
符号化部１２０は、ターボ符号やトレリス符号などの予め定められた誤り訂正符号化方式および符号化率に基づいて制御情報付送信データを符号化する。そして、ＱＡＭなど予め定められた変調方式に基づいて、符号化された送信データを変調して、変調送信データをＮポイントＩＦＦＴ部１３２とＮ／２ポイントＩＦＦＴ部１２３とに出力する。
【００７０】
制御部２５０からの選択信号がＮポイントＩＦＦＴ演算部１３２を選択する信号であった場合、ＮポイントＩＦＦＴ演算部１３２は、送信する通信装置に対応するキャリアを用いて変調された送信データに対して逆フーリエ変換を行い、変調された周波数領域の送信データから時間領域の送信データに変換する。そして、変換した時間領域の送信データをＰ／Ｓ部１４１に出力する。
【００７１】
Ｐ／Ｓ部１４１は、ＮポイントＩＦＦＴ演算部１３２が時間領域に変換したパラレル送信データをシリアル送信データに変換して、レジスタＡ１４３に出力する。
【００７２】
一方、制御部２５０からの選択信号がＮ／２ポイントＩＦＦＴ演算部１３３を選択する信号であった場合、Ｎ／２ポイントＩＦＦＴ演算部１３３は、送信する通信装置に対応するキャリアを用いて変調された送信データに対して逆フーリエ変換を行い、変調された周波数領域の送信データから時間領域の送信データに変換する。そして、変換した時間領域の送信データをＰ／Ｓ部１４１に出力する。
【００７３】
Ｐ／Ｓ部１４２は、Ｎ／２ポイントＩＦＦＴ演算部１３３が時間領域に変換したパラレル送信データをシリアル送信データに変換して、レジスタＢ１４４に出力する。
【００７４】
加算器１４５は、レジスタＡ１４３に蓄積された時間領域に変換されたシリアル送信データと、レジスタＢ１４４に蓄積された時間領域に変換されたシリアル送信データとを加算してＤ／Ａ部１５０に出力する。Ｄ／Ａ部１５０は、シリアル送信データをアナログ信号に変換して、アナログ送信データを結合部１６０に出力する。結合部１６０は、アナログ送信データを増幅して電灯線５０に送信する。
【００７５】
つぎに、受信動作を説明する。結合部１６０は、受信した信号をフィルタリングして高周波信号の処理を行い、アナログ受信信号をＡ／Ｄ部２１０に出力する。Ａ／Ｄ部２１０は、アナログ受信信号をデジタル信号に変換して、デジタル受信データをＳ／Ｐ部２２１とＳ／Ｐ部２２２とに出力する。
【００７６】
Ｓ／Ｐ部２２１は、分周器１３１で分周されたクロックＣＫ２で処理可能なパラレル受信データに変換してＮポイントＦＦＴ演算部２３１に出力する。
【００７７】
ＮポイントＦＦＴ演算部２３１は、分周器１３１で分周されたクロックＣＫ２で処理可能なパラレル受信データに対してフーリエ変換を行い、時間領域のパラレル受信データから周波数領域の受信データに変換し、周波数領域の受信データを判定部２３３に出力する。
【００７８】
Ｓ／Ｐ部２２２は、クロックＣＫで処理可能なパラレル受信データに変換してＮ／２ポイントＦＦＴ演算部２３２に出力する。
【００７９】
Ｎ／２ポイントＦＦＴ演算部２３２は、クロックＣＫで処理可能なパラレル受信データに対してフーリエ変換を行い、時間領域のパラレル受信データから周波数領域の受信データに変換し、周波数領域の受信データを判定部２３３に出力する。
【００８０】
判定部２３３は、識別情報が基準キャリア幅のキャリアを用いたことを示す場合には、Ｎ／２ポイントＦＦＴ演算部２３２で変換された周波数領域の受信データを、識別情報が基準キャリア幅の１／２のキャリア幅のキャリアを用いたことを示す場合には、ＮポイントＦＦＴ演算部２３１で変換された周波数領域の受信データを復号化部２４０に出力する。
【００８１】
復号化部２４０は、ＱＡＭなど予め定められた復調方式に基づいて、周波数領域の受信データを復調する。そして、ターボ符号やトレリス符号などの予め定められた誤り訂正符号化方式に基づいて、復調された受信データを復号して、復号受信データをデータ処理部１１０に出力する。
【００８２】
データ処理部１１０は、復号受信データから送信元アドレス、送信先アドレス、ノイズ測定用の特定パターンなどの制御情報を破棄する。そして、制御用キャリアを用いた受信データを制御部２５０に、それ以外のキャリアを用いた受信データをホストに出力する。
【００８３】
通信装置２０の送信動作および受信動作については、通信装置１０と同様のものとなるので、ここではその説明を省略する。
【００８４】
つぎに、通信装置３０の送信動作について説明する。データ処理部３１０は、送信データに送信元アドレス、送信先アドレス、ノイズ測定用の特定パターンなどの制御情報を付加してフレーミング処理を行い、対応したキャリアに配置する。
【００８５】
符号化部３２０は、ターボ符号やトレリス符号などの予め定められた誤り訂正符号化方式および符号化率に基づいて制御情報付送信データを符号化する。そして、ＱＡＭなど予め定められた変調方式に基づいて、符号化された送信データを変調して、変調送信データをＩＦＦＴ部３３０に出力する。
【００８６】
ＩＦＦＴ３３０部は、対応するキャリアを用いて変調送信データに対して逆フーリエ変換を行い、変調された周波数領域の送信データから時間領域の送信データに変換したパラレル送信データをＰ／Ｓ部３４０に出力する。
【００８７】
Ｐ／Ｓ部３４０は、パラレル送信データをシリアル送信データに変換して、Ｄ／Ａ部３５０に出力する。Ｄ／Ａ３５０部は、シリアル送信データをアナログ信号に変換して、アナログ送信データを結合部３６０に出力する。結合部１６０は、アナログ送信データを増幅して電灯線５０に送信する。
【００８８】
つぎに、通信装置３０の受信動作について説明する。結合部３６０は、受信した信号をフィルタリングして高周波信号の処理を行い、アナログ受信信号をＡ／Ｄ部４１０に出力する。Ａ／Ｄ部４１０は、アナログ受信信号をデジタル信号に変換して、デジタル受信データをＳ／Ｐ部４２０に出力する。Ｓ／Ｐ部４２０は、シリアルのデジタル受信データをパラレルのデジタル受信データに変換して、パラレル受信データをＦＦＴ部４３０に出力する。
【００８９】
ＦＦＴ部４３０は、パラレル受信データに対してフーリエ変換を行い、時間領域のパラレル受信データを周波数領域の受信データに変換し、周波数領域の受信データを復号化部４４０に出力する。
【００９０】
復号化部４４０は、ＱＡＭなど予め定められた復調方式に基づいて、周波数領域の受信データを復調する。そして、ターボ符号やトレリス符号などの予め定められた誤り訂正符号化方式に基づいて、復調された受信データを復号して、復号受信データをデータ処理部３１０に出力する。
【００９１】
データ処理部３１０は、復号受信データから送信元アドレス、送信先アドレス、ノイズ測定用の特定パターンなどの制御情報を破棄する。そして、制御用キャリア以外のキャリアを用いた受信データをホストに出力する。
【００９２】
つぎに、図１２のフローチャートを参照して、キャリア幅を決定する動作を説明する。通信装置２０が、図２に示した通信帯域１の制御用キャリア１−０を用いて通信装置１０に通信開始の要求を行ったとする。
【００９３】
通信装置１０は、通信装置２０の通信開始の要求を受けると、通信を中断する（ステップＳ１００，Ｓ１１０）。通信装置１０は、通信帯域１を用いて通信装置２０に通信可能な帯域を示す帯域情報とキャリア幅変更可能であるかを示すキャリア情報を要求する。通信装置２０は、通信装置１０に帯域情報とキャリア情報を通知する。
【００９４】
通信装置１０の通信帯域決定部２５１は、記憶部２５２の使用状態に基づいて通信帯域を決定する（ステップＳ１２０）。具体的には、通信帯域決定部２５１は、制御用キャリア１−０を用いて通知された通信可能な帯域を示す帯域情報と記憶部２５２の通信帯域に対応した使用状態から通信帯域を決定する。通信装置２０は、図２に示した通信帯域１〜ｍで通信可能な装置である。したがって、通知された帯域情報は、通信帯域１〜ｍが使用可能であることを示している。通信帯域決定部２５１は、記憶部２５２の通信帯域１〜ｍの使用情報を確認する。記憶部２５２の通信帯域１〜ｍの使用情報は、帯域が空いていることを示しているので、通信帯域決定部２５１は、通信装置２０が用いた制御用キャリア１−０の通信帯域１を通信装置２０との通信帯域に決定し、記憶部２５２に通信帯域１を通信装置２０との通信に用いることを記憶させる。
【００９５】
通信帯域決定部２５１は、キャリア情報に基づいて、通信キャリアが変更可能であるか否かを判定する（ステップＳ１３０）。通信装置２０は、基準キャリア幅のキャリアと基準キャリア幅の１／２のキャリア幅のキャリアで通信可能な通信装置である。したがって、通知されたキャリア情報は、キャリアが変更可能であることを示している。
【００９６】
通信帯域決定部２５１は、キャリア幅が変更可能であることを識別すると、基準キャリア幅のキャリアを用いて通信を行った場合の通信品質を推定する（ステップＳ１４０）。具体的には、通信帯域決定部２５１は基準キャリア幅のキャリアを用いて通信することを切替部２５５に通知するとともに、基準キャリア幅のキャリアを用いて通信することを示す識別情報と計測用データとをデータ処理部１１０に出力する。
【００９７】
切替部２５５は、基準キャリア幅のキャリアを用いて通信することが通知されると、Ｎ／２ポイントＩＦＦＴ演算部１３３を使用する選択信号を出力する。データ処理部１１０に入力された識別情報と計測用データは通信帯域１のキャリア１−０〜キャリア１−ｎに配置される。そして、Ｎ／２ポイントＩＦＦＴ演算部１３３を用いた送信処理が施され電灯線５０に送信される。
【００９８】
制御用キャリア１−０の識別情報が基準キャリア幅のキャリアを用いて通信することを通知しているので、通信装置２０は、Ｎ／２ポイントＦＦＴ演算部２３２を用いた受信処理を行う。そして、基準キャリア幅のキャリアを用いて通信することを示す識別情報と計測用データの応答コマンドとを通信帯域１のキャリアに配置してＮ／２ポイントＩＦＦＴ部１３３を用いて送信処理して電灯線５０に送信する。
【００９９】
制御用キャリア１−０の識別情報が基準キャリア幅のキャリアを用いて通信することを通知しているので、通信装置１０は、Ｎ／２ポイントＦＦＴ演算部２３２を用いた受信処理を行う。
【０１００】
通信装置１０の通信品質推定部２５３は、制御用キャリア１−０の識別情報が基準キャリア幅のキャリアを用いて通信することを通知しているのでＮ／２ポイントＦＦＴ部２３２から入力される周波数領域の受信データ内のノイズ測定用の特定パターンから算出した受信電力帯雑音電力比や復号化部２４０で誤り訂正を行った際の誤り率を用いて通信品質を推定する。
【０１０１】
通信装置１０の通信帯域決定部２５１は、応答コマンドを受信すると、基準キャリア幅の１／２のキャリア幅のキャリアを用いて通信を行った場合の通信品質を推定する（ステップＳ１５０）。具体的には、通信帯域決定部２５１は基準キャリア幅の１／２のキャリア幅のキャリアを用いて通信することを切替部２５５に通知するとともに、基準キャリア幅の１／２のキャリア幅のキャリアを用いて通信することを示す識別情報と計測用データとをデータ処理部１１０に出力する。
【０１０２】
切替部２５５は、基準キャリア幅の１／２のキャリア幅のキャリアを用いて通信することを通知されると、ＮポイントＩＦＦＴ演算部１３２を使用する選択信号を出力する。データ処理部１１０に入力された計測用データは通信帯域１のキャリア１−０，キャリア１−１０〜１−ｎ１に配置される。そして、ＮポイントＩＦＦＴ演算部１３２を用いて送信処理が施され電灯線５０に送信される。
【０１０３】
制御用キャリア１−０の識別情報が基準キャリア幅の１／２のキャリア幅のキャリアを用いて通信することを通知しているので、通信装置２０は、ＮポイントＦＦＴ演算部２３１を用いた受信処理を行う。そして、基準キャリア幅の１／２のキャリア幅のキャリアを用いて通信することを示す識別情報と計測用データの応答コマンドとを通信帯域１のキャリア１−０，キャリア１−１０〜１−ｎ１に配置してＮポイントＩＦＦＴ部１３２を用いて送信処理して電灯線５０に送信する。
【０１０４】
制御用キャリア１−０の識別情報が基準キャリア幅の１／２のキャリア幅のキャリアを用いて通信することを通知しているので、通信装置１０は、ＮポイントＦＦＴ演算部２３１を用いた受信処理を行う。
【０１０５】
通信装置１０の通信品質推定部２５３は、制御用キャリア１−０の識別情報が基準キャリア幅の１／２のキャリア幅のキャリアを用いて通信することを通知しているのでＮポイントＦＦＴ部２３１から入力される周波数領域の受信データ内のノイズ測定用の特定パターンから算出した受信電力帯雑音電力比や復号化部２４０で誤り訂正を行った際の誤り率を用いて通信品質を推定する。
【０１０６】
キャリア決定部２５４は、基準キャリア幅のキャリアで通信した時に推定した通信品質と、基準キャリア幅の１／２のキャリア幅のキャリアで通信した時に推定した通信品質をと比較して、通信品質の良いキャリアを通信キャリアに決定する（ステップＳ１６０）。ここで、基準キャリア幅のキャリアで通信した時に推定した通信品質のほうが基準キャリア幅の１／２のキャリア幅のキャリアで通信した時に推定した通信品質よりも良かったとする。この場合、キャリア決定部２５４は、通信装置２０との通信に用いるキャリアを基準キャリア幅のキャリアに決定する。記憶部２５２は、図９（ｂ）に示すように、通信帯域１の使用状態に通信装置２０を、使用キャリアに基準キャリア幅のキャリアを記憶する。
【０１０７】
キャリア決定部２５４は、通信装置２０に決定したキャリアを通知する（ステップＳ１７０）。具体的には、キャリア決定部２５４は、基準キャリア幅のキャリアを用いて通信することを示す識別情報と通信帯域１と使用するキャリアを通知する通知コマンドとをデータ処理部１１０に出力する。
【０１０８】
データ処理部１１０に入力された識別情報と通知コマンドは通信帯域１のキャリア１−０〜１−ｎに配置される。そして、Ｎ／２ポイントＩＦＦＴ演算部１３３を用いて送信処理が施され電灯線５０に送信される。
【０１０９】
制御用キャリア１−０の識別情報が基準キャリア幅のキャリアを用いて通信することを通知しているので、通信装置２０は、Ｎ／２ポイントＦＦＴ演算部２３２を用いた受信処理を行う。制御部２６０は、通知コマンドにより通知された通信帯域と使用するキャリアに基づいて、ＮポイントＩＦＦＴ演算部１３２とＮ／２ポイントＩＦＦＴ演算部１３３のどちらを使用するかを選択する選択信号を出力する。この場合は、基準キャリア幅のキャリアを用いて通信することが通知されているので、Ｎ／２ポイントＩＦＦＴ演算部１３３を使用する選択信号を出力する。
【０１１０】
このようにして、通信装置１０は、通信装置２０との通信に用いる通信帯域とキャリアを決定した後、通信を再開する（ステップＳ１８０）。通信装置１０の切替部２５５は、記憶部２５２に記憶されている使用キャリアを読み出して、通信装置２０に対するデータを送信する際には、Ｎ／２ポイントＩＦＦＴ部１３３を使用する選択信号を出力する。
【０１１１】
通信装置１０と通信装置２０とが通信中に、通信装置３０が制御用キャリアｍ−０を用いて通信開始の要求を行ったとする。通信装置１０は、通信装置３０の通信開始の要求を受けると、通信装置２０との通信を中断する（ステップＳ１００，Ｓ１１０）。
【０１１２】
通信装置１０は、通信帯域ｍを用いて通信装置３０に通信可能な帯域を示す帯域情報とキャリア幅変更可能であるかを示すキャリア情報を要求する。通信装置３０は、通信装置１０に帯域情報とキャリア情報を通知する。
【０１１３】
通信装置１０の通信帯域決定部２５１は、記憶部２５２の使用状態に基づいて通信帯域を決定する（ステップＳ１２０）。通信装置３０は、図２に示した通信帯域ｍでのみ通信可能な装置である。したがって、通知された帯域情報は、通信帯域ｍが使用可能であることを示している。すなわち、通信帯域を選択することはできない。通信帯域決定部２５１は、通信装置３０が用いた制御用キャリアｍ−０の通信帯域ｍを通信装置３０との通信帯域に決定し、記憶部２５２に通信帯域ｍを通信装置３０との通信に用いることを記憶させる。
【０１１４】
通信帯域決定部２５１は、キャリア情報に基づいて、通信キャリアが変更可能であるか否かを判定する（ステップＳ１３０）。通信装置３０は、基準キャリア幅の１／２のキャリア幅のキャリアのみで通信可能な通信装置である。したがって、通知されたキャリア情報は、基準キャリア幅の１／２のキャリア幅のキャリアのみであることを示している。通信帯域決定部２５１は、キャリア変更をすることができないので、キャリア情報で通知された基準キャリア幅の１／２のキャリア幅のキャリアを使用キャリアに決定する。記憶部２５２は、図９（ｃ）に示すように、通信帯域ｍの使用状態に通信装置３０を、使用キャリアに基準キャリア幅の１／２のキャリア幅のキャリアを記憶する。
【０１１５】
通信装置１０は、通信装置２０と通信装置３０との通信を再開する（ステップＳ１８０）。通信装置１０の切替部２５５は、記憶部２５２に記憶されている使用キャリアを読み出して、通信装置２０に対するデータを送信する際には、Ｎ／２ポイントＩＦＦＴ部１３３を使用する選択信号を、通信装置３０に対するデータを送信する際には、ＮポイントＩＦＦＴ部１３２を使用する選択信号を出力する。
【０１１６】
このように本実施の形態では、Ｎ／２ポイントＩＦＦＴ演算部１３３は、基準キャリアのキャリア幅の周波数領域の送信データを逆フーリエ変換により時間領域の送信データに変換し、ＮポイントＩＦＦＴ演算部１３２は、基準キャリアの１／２のキャリア幅の周波数領域の送信データを逆フーリエ変換により時間領域の送信データに変換し、加算器１４５がそれぞれの時間領域の送信データを時間軸をあわせて加算して送信データを生成する。Ｎ／２ポイントＦＦＴ演算部２３２は、受信した時間領域の受信データをフーリエ変換により基準キャリアのキャリア幅の周波数領域の受信データに変換し、ＮポイントＦＦＴ演算部２３１は、受信した時間領域の受信データをフーリエ変換により基準キャリアの１／２のキャリア幅の周波数領域の受信データに変換し、判定部２３３は、制御用キャリアに含まれる識別情報に基づいて、Ｎ／２ポイントＦＦＴ演算部２３２で変換した周波数領域の受信データ、または、ＮポイントＦＦＴ演算部２３１で変換した周波数領域の受信データを選択するようにしている。これにより、キャリアの異なる通信装置と通信することができ、通信システム内の他の通信装置および通信システムのコストを抑えることができる。
【０１１７】
また、通信帯域決定部２５１は、記憶部２５２に記憶されている通信帯域ごとの使用帯域と帯域情報に基づいてスレーブ通信装置と通信を行う通信帯域を決定し、スレーブ通信装置が基準キャリア幅のキャリアと基準キャリア幅の１／２のキャリア幅の２つのキャリアで通信が可能である場合には、通信品質推定部２５３が、それぞれのキャリアを用いて通信品質を推定して、キャリア決定部２５４が、通信品質が良かった用のキャリアを通信キャリアに決定して通信を行うようにしているため、安定した通信を行うことができる。
【０１１８】
さらに、通信帯域決定部２５１は、スレーブ通信装置が対応している複数の通信帯域の中に、すでに使用されている通信帯域と隣接しない通信帯域がある場合には、隣接しない通信帯域を通信の要求のあったスレーブ通信装置との通信帯域に決定するようにしているため、干渉を防止して安定した通信を行うことができる。
【図面の簡単な説明】
【図１】この発明にかかる通信装置を用いた通信システムの構成を示す概念図である。
【図２】この発明にかかる通信装置の通信周波数帯域内のキャリアを示す図である。
【図３】図１に示した通信装置の送受信機能の構成を示すブロック図である。
【図４】図３に示したＩＦＦＴ部の構成を示すブロック図である。
【図５】図３に示したＳ／Ｐ処理部部の構成を示すブロック図である。
【図６】図３に示したＰ／Ｓ処理部部の構成を示すブロック図である。
【図７】図３に示したＦＦＴ部の構成を示すブロック図である。
【図８】図３に示した制御部の構成を示すブロック図である。
【図９】図３に示した記憶部の内容を示す図である。
【図１０】図１に示した通信装置の送受信機能の構成を示すブロック図である。
【図１１】図１に示した通信装置の送受信機能の構成を示すブロック図である。
【図１２】この発明にかかる通信装置のキャリア幅を決定する動作を説明するためのフローチャートである。
【符号の説明】
１０，２０，３０  通信装置、５０  電灯線、１１０，３１０  データ処理部、１２０，３２０  符号化部、１３０，３３０  ＩＦＦＴ部、１３１  分周器、１３２  ＮポイントＩＦＦＴ演算部、１３３  Ｎ／２ポイントＩＦＦＴ演算部、１４０  Ｐ／Ｓ処理部、１４１，１４２，３３０  Ｐ／Ｓ部、１４３  レジスタＡ、１４４  レジスタＢ、１５０  Ｄ／Ａ部、１６０，３６０  結合部、２１０，４１０  Ａ／Ｄ部、２２０  Ｓ／Ｐ処理部、２２１，２２２，４２０  Ｓ／Ｐ部、２３０，４３０  ＦＦＴ部、２３１  ＮポイントＦＦＴ演算部、２３２  Ｎ／２ポイントＦＦＴ演算部、２３３  判定部、２４０，４４０  復号化部、２５０，２６０，４５０  制御部、２５１  通信帯域決定部、２５２  記憶部、２５３通信品質推定部、２５４  キャリア決定部、２５５  切替部、１−０，２−０，ｍ−０  制御用キャリア、１−１，１−ｎ，２−１，２−ｎ，ｍ−１，ｍ−ｎ，１−１０，１−１１，１−２０，１−２１，１−ｎ０，１−ｎ１，２−１０，２−１，２−ｎ１，ｍ−０，ｍ−１０，ｍ−ｎ２  キャリア
【図１】
2004336205.tif 000003
【図２】
2004336205.tif 000004
【図３】
2004336205.tif 000005
【図４】
2004336205.tif 000006
【図５】
2004336205.tif 000007
【図６】
2004336205.tif 000008
【図７】
2004336205.tif 000009
【図８】
2004336205.tif 000010
【図９】
2004336205.tif 000011
【図１０】
2004336205.tif 000012
【図１１】
2004336205.tif 000013
【図１２】
2004336205.tif 000014